(57)【特許請求の範囲】
【請求項１】
複数の波形データを波形表示する波形表示装置において、
前記波形データの縮小波形を１つ描画する縮小波形表示領域を複数描画するサムネール画面を表示し、このサムネール画面をスクロールするサムネール表示手段と、
このサムネール表示手段で選択された縮小波形を、拡大波形表示領域に拡大描画する全景画面を表示する全景表示手段と
を有し、前記サムネール画面と前記全景画面とを並列に表示することを特徴とする波形表示装置。
【請求項２】
複数の波形データを波形表示する波形表示プログラムを記録した記録媒体において、
前記波形データの縮小波形を１つ描画する縮小波形表示領域を複数描画するサムネール画面を表示し、このサムネール画面をスクロールし、
前記サムネール画面で選択された縮小波形を、拡大波形表示領域に拡大描画する全景画面を、サムネール画面と並列に表示することを特徴とする波形表示プログラムを記録した記録媒体。
【請求項３】
複数の波形データを波形表示する波形表示方法において、
前記波形データの縮小波形を１つ描画する縮小波形表示領域を複数描画するサムネール画面を表示し、このサムネール画面をスクロールし、
前記サムネール画面で選択された縮小波形を、拡大波形表示領域に拡大描画する全景画面を、サムネール画面と並列に表示することを特徴とする波形表示方法。
【発明の詳細な説明】
【０００１】
【発明の属する技術分野】
本発明は、異常波形の特定が容易に行える波形表示装置、波形表示プログラムを記録した記録媒体及び波形表示方法に関するものである。
【０００２】
【従来の技術】
デジタルオシロスコープは、回路等からの入力信号を、例えば、８０００回のトリガ回数分の波形データとして、ヒストリメモリに格納している。このヒストリメモリから波形データを呼び出して、波形表示を行ない、異常波形を見つけ出し、回路等の解析等を行っていた。
【０００３】
このような装置を図４に示し、他の波形表示例を図５に示す。図４は１つの波形表示例、図５は所望範囲の波形表示例を示した図である。
【０００４】
図において、測定部１は、入力信号を所定のトリガにより取り込んで、デジタルデータ、つまり、波形データにする。ヒストリメモリ２は、測定部１からの波形データを複数格納する。表示手段３は、選択手段４、例えば、キー等により、ヒストリメモリ２から波形データを読み出し、表示画面Ｄに表示する。
【０００５】
表示画面Ｄは、波形表示領域Ｄ１と選択メニューＭ１と表示メニューＭ２とが表示され、図５に示すように、表示メニューＭ２により、スタートメニューＭ３とエンドメニューＭ４とが表示される。波形表示領域Ｄ１には、波形が表示される。選択メニューＭ１は、１つの波形の番号を指定する。表示メニューＭ２は、波形表示領域Ｄ１の波形表示モード、つまり、選択メニューＭ１で選択された波形の番号の波形表示、または、スタートメニューＭ３とエンドメニューＭ４とで指定された範囲の波形データの波形表示を指定する。
【０００６】
このような装置の動作を以下に説明する。
まず、１つの波形を表示する場合について、説明する。選択手段４により、選択メニューＭ１に表示したい波形データの番号、例えば、”−３９”を入力する。ここで、波形データの番号は、最新の波形データの番号を”０”とし、過去の波形に戻るに従い、”−１，−２，−３，・・・”というように番号付けが行われている。そして、選択手段４により、表示メニューＭ２で”Ｏｎｅ”を選択すると、表示手段３は、ヒストリメモリ２から、波形データの番号が”−３９”の波形データを読み出して、図４に示すように、波形表示領域Ｄ１に波形表示する。
【０００７】
次に、複数の波形を表示する場合は、選択手段４により、表示メニューＭ２で”Ａｌｌ”を選択し、スタートメニューＭ３で”０”を入力し、エンドメニューＭ４で”−５９”を選択する。これにより、表示手段３は、ヒストリメモリ２から、波形データの番号が”０”〜”−５９”の６０本分の波形データを読み出し、図５に示すように、波形表示領域Ｄ１に表示する。なお、波形手段３は、選択メニューＭ１で選択された”−３３”は他の波形より濃く表示する。
【０００８】
【発明が解決しようとする課題】
このような装置では、図５に示すように、波形表示領域Ｄ１に複数波形を表示し、異常な波形があれば、選択メニューＭ１で波形データの番号を変化させて、その波形が何番目に現れたのか、特定を行っていた。
【０００９】
また、波形表示領域Ｄ１に複数の波形を重ね描きすると見ずらい場合には、図４に示すように、１つの波形だけを表示し、選択メニューＭ１で波形データの番号を変化させて、異常波形の特定を行なっていた。
【００１０】
しかし、選択メニューＭ１を１つづつ変化させる必要があるので、波形データ数が多い場合には、特定に時間がかかるという問題点があった。
【００１１】
そこで、本発明の目的は、異常波形の特定が容易に行える波形表示装置、波形表示プログラムを記録した記録媒体及び波形表示方法を実現することにある。
【００１２】
【課題を解決するための手段】
本発明は、
複数の波形データを波形表示する波形表示装置において、
前記波形データの縮小波形を１つ描画する縮小波形表示領域を複数描画するサムネール画面を表示し、このサムネール画面をスクロールするサムネール表示手段と、
このサムネール表示手段で選択された縮小波形を、拡大波形表示領域に拡大描画する全景画面を表示する全景表示手段と
を有し、前記サムネール画面と前記全景画面とを並列に表示することを特徴とするものである。
【００１３】
また、本発明は、
複数の波形データを波形表示する波形表示プログラムを記録した記録媒体において、
前記波形データの縮小波形を１つ描画する縮小波形表示領域を複数描画するサムネール画面を表示し、このサムネール画面をスクロールし、
前記サムネール画面で選択された縮小波形を、拡大波形表示領域に拡大描画する全景画面を、サムネール画面と並列に表示することを特徴とするものである。
【００１４】
そして、本発明は、
複数の波形データを波形表示する波形表示方法において、
前記波形データの縮小波形を１つ描画する縮小波形表示領域を複数描画するサムネール画面を表示し、このサムネール画面をスクロールし、
前記サムネール画面で選択された縮小波形を、拡大波形表示領域に拡大描画する全景画面を、サムネール画面と並列に表示することを特徴とするものである。
【００１５】
【発明の実施の形態】
以下図面を用いて本発明の実施の形態を説明する。
図１は本発明の一実施例を示した構成図である。
【００１６】
図において、記憶部１０は、例えば、ハードディスクやメモリ等で、デジタルオシロスコープ等の波形観測装置から転送された複数の波形データを記憶する。制御部２０は、記憶部１０に接続し、サムネール表示手段２１、全景表示手段２２を有する。サムネール表示手段２１、全景表示手段２２は、実際には、プログラムで記述され、フロッピーディスクやコンパクトディスク等の記録媒体に記録され、コンピュータにインストールされ動作するものである。
【００１７】
サムネール表示手段２１は、記憶部１０の波形データの縮小波形を１つ描画する複数の縮小波形表示領域３２を表示領域３１に描画するサムネール画面３０を図示しない表示部、例えば、ＣＲＴ等に表示する。
【００１８】
また、サムネール画面３０は、スクロールバー３３、サイズメニュー３４、選択ボタン３５，３６が設けられている。スクロールバー３３は、表示領域３１をスクロールさせる。サイズメニュー３４は、縮小波形表示領域３２のサイズを３種類中から規定する。選択ボタン３５は、サムネール画面３０の表示領域３１に表示された縮小波形表示領域３２をすべて選択するかどうかのオン／オフを行う。選択ボタン３６は、ウィンドウチェイサー機能のオン／オフを行う。なお、ウィンドウチェイサー機能については後述する。
【００１９】
全景表示手段２２は、サムネール表示手段２１の縮小波形表示領域３２の縮小波形を、１つの拡大波形表示領域４１に拡大描画する全景画面４０を、サムネール画面３０に並べて、表示部に表示する。
【００２０】
操作手段５０は、例えば、キーボードやマウス等で、制御部２０に接続し、サムネール表示手段２１、全景表示手段２２等を操作する。
【００２１】
このような装置の動作を以下で説明する。
図２，３は図１に示す装置の動作を示したフローチャートで、図２はサムネール表示手段２１の動作を示し、図３は全景表示手段２２の動作を示す。
【００２２】
操作手段５０により、サイズメニュー３４により、縮小波形表示領域３１のサイズを設定し、スクロールバー３３で表示領域３１のスクロール位置を設定し、選択ボタン３５，３６のオン／オフや縮小波形表示領域３２の選択を行なう。
【００２３】
サムネール表示手段２１は、サイズメニュー３４のサイズにより、サムネール画面３０の表示領域３１に表示できる縮小波形表示領域３２の数を判断し、スクロールバー３３の表示領域３１のスクロール位置により、波形データの範囲を判断する（Ｓ１１）。図１では、表示領域３１に表示できる縮小波形表示領域３２は、”８”と判断され、表示領域３１のスクロール位置が一番上であるので、”０”から８つの波形データ、つまり、波形データの範囲は、”０”〜”７”となる。
【００２４】
そして、サムネール表示手段２１は、記憶部１０から”０”〜”７”の波形データを読み込む（Ｓ１２）。この波形データを、サムネール表示手段２１は、縮小波形表示領域３１のサイズに合わせて、縮小波形表示領域３２と１対１に、縮小波形を表示する（Ｓ１３）。ここで、選択ボタン３５がオンになっていると、縮小波形表示領域３２の上部の領域が帯状に囲まれて表示される。この帯状領域には、波形データの番号と取り込み時間が記載されている。また、操作手段（マウス）５０により、縮小波形表示領域３２をクリックして選択すると、縮小波形表示領域３２の上部の領域は、黒色の帯状に表示される。図１では、表示の最初のデフォルトとして、波形データが”１”の縮小波形表示領域３２が選択されている。
【００２５】
選択ボタン３６がオン、つまり、ウィンドウチェイサー機能がオンのとき、サムネール表示手段２１は、波形情報、すなわち、選択された波形データの番号の情報を全景表示手段２２に送信する（Ｓ１４，Ｓ１５）。
【００２６】
ここで、ウィンドウチェイサー機能とは、サムネール画面３０の波形と全景画面４０の波形とを連動して表示する機能のことである。そして、選択された波形データとは、選択ボタン３５と縮小波形表示領域３２とにより、選択された波形データである。つまり、図１では、選択ボタン３５がオンであるので、縮小波形表示領域３２の波形データの番号”０”〜”７”が選択され、縮小波形表示領域３２により選択された波形データの番号”０”が選択されている。
【００２７】
また、選択ボタン３６がオフ、つまり、ウィンドウチェイサー機能がオフのとき、サムネール表示手段２１は、下記の処理に進む（Ｓ１４）。
【００２８】
再び、サムネール表示手段２１は、サイズメニュー３４のサイズにより、サムネール画面３０の表示領域３１に表示できる縮小波形表示領域３２の数を判断し、スクロールバー３３の表示領域３１のスクロール位置により、波形データの範囲を判断する（Ｓ１１）。このような動作を繰返す。
【００２９】
全景表示手段２２は、波形情報を受信するまで待つ（Ｓ２１）。サムネール表示手段２１から波形情報を受け取った場合、波形情報により、記憶部１０から波形データを読み込む（Ｓ２２）。図１では、サムネール表示画面３０に描画された番号”０”〜”７”の波形データを読み込む。そして、全景表示手段２２は、拡大波形表示領域４１に波形データを拡大描画する（Ｓ２３）。ここで、縮小波形表示領域３２の上部が黒色の帯状のものは、図１では、番号”０”の波形データの波形を、色を濃く表示する。
【００３０】
再び、全景表示手段２２は、サムネール表示手段２１から波形情報を受け取るまで待つ（Ｓ２１）。このような動作を繰返し行う。
【００３１】
このように、サムネール表示手段２１が、サムネール画面３０に複数の縮小波形表示領域３２ごとに表示した縮小波形を、全景表示手段２２が、全景画面４０の拡大波形表示領域４１に拡大して表示する。これにより、個別に表示された縮小波形と、拡大波形とにより波形の観測ができるので、異常波形の特定を容易に行うことができる。
【００３２】
また、サムネール表示手段２１が全景表示手段２２に波形情報を渡し、サムネール表示手段２１と全景表示手段２２とが連動して、波形表示を行うので、異常波形の特定を容易に行うことができる。
【００３３】
なお、本発明はこれに限定されるものではなく、以下のような構成でもよい。サムネール表示手段２１は、全景表示手段２２に波形情報を通知する構成を示したが、サムネール表示手段２１は、全景表示手段２２に選択された波形データを送り、この波形データを全景画面４０の波形表示領域４１に表示する構成にしてもよい。
【００３４】
また、サムネール画面３０と全景画面４０とを並列に表示する構成を図１に示したが、サムネール画面３０を単独に表示し、サムネール画面３０で選択された波形を、画面を切り替えて、全景画面４０単独で表示する構成にしてもよい。
【００３５】
そして、デジタルオシロスコープ等の波形観測装置からの波形データを、記憶部１０に格納する構成を示したが、波形観測装置にサムネール手段２１、全景表示手段２２を含む構成でもよい。
【００３６】
【発明の効果】
本発明によれば、以下のような効果がある。
請求項１によれば、サムネール表示手段が、サムネール画面に複数の縮小波形表示領域ごとに表示した縮小波形を、全景表示手段が、全景画面の拡大波形表示領域に拡大して表示する。これにより、個別に表示された縮小波形と、拡大波形とにより波形の観測ができるので、異常波形の特定を容易に行うことができる。
【００３７】
請求項１によれば、サムネール表示手段と全景表示手段とが連動して、波形表示を行うので、異常波形の特定を容易に行うことができる。
【００３８】
請求項２，３によれば、サムネール画面に複数の縮小波形表示領域ごとに表示した縮小波形を、全景画面の拡大波形表示領域に拡大して表示する。これにより、個別に表示されて縮小波形と、拡大波形とにより波形の観測ができるので、異常波形の特定を容易に行うことができる。
【００３９】
請求項２，３によれば、サムネール画面と全景画面とが連動して、波形表示を行うので、異常波形の特定を容易に行うことができる。
【図面の簡単な説明】
【図１】本発明の一実施例を示した構成図である。
【図２】図１に示す装置の動作を示したフローチャートである。
【図３】図１に示す装置の動作を示したフローチャートである。
【図４】従来の波形表示装置の構成を示した図である。
【図５】従来の波形表示装置の表示画面例を示した図である。
【符号の説明】
２１  サムネール表示手段
２２  全景表示手段
３０  サムネール画面
３２  縮小波形表示領域
４０  全景画面
４１  拡大波形表示領域
【図１】
0003568106.tif 000002
【図２】
0003568106.tif 000003
【図３】
0003568106.tif 000004
【図４】
0003568106.tif 000005
【図５】
0003568106.tif 000006